(57)【特許請求の範囲】
【請求項１】
支持台と、
前記支持台に設けられ、ストッパを締め込むことで前記支持台上の移動可能な任意の位置に固定される位置固定用摺動ブロックと、
前記支持台に設けられ、アリ溝とアリとの嵌合により前記支持台に対して自在に摺動する位置設定用摺動ブロックと、
前記位置固定用摺動ブロックに設けられた空洞部を貫通し、前記位置設定用摺動ブロックに係合するねじ部を有し、ハンドルに連結する雄ネジ棒と、を備え、
前記ハンドルの操作により摺動する前記位置設定用摺動ブロックと前記位置固定用摺動ブロックとによりワークを挟持し、
前記位置設定用摺動ブロックは、着脱自在な位置設定用挟持部を有し、前記位置固定用摺動ブロックは、着脱自在な位置固定用挟持部を有し、前記位置設定用挟持部及び前記位置固定用挟持部により前記ワークが挟持され、
前記位置設定用挟持部及び前記位置固定用挟持部は、弾性材により相互に連結されることを特徴とするアリ溝式ワーク挟持装置。
【請求項２】
支持台と、
前記支持台に設けられ、ストッパを締め込むことで前記支持台上の移動可能な任意の位置に固定される位置固定用摺動ブロックと、
前記支持台に設けられ、アリ溝とアリとの嵌合により前記支持台に対して自在に摺動する位置設定用摺動ブロックと、
前記位置固定用摺動ブロックに設けられた空洞部を貫通し、前記位置設定用摺動ブロックに係合するねじ部を有し、ハンドルに連結する雄ネジ棒と、を備え、
前記ハンドルの操作により摺動する前記位置設定用摺動ブロックと前記位置固定用摺動ブロックとによりワークを挟持し、
前記位置設定用摺動ブロックは、上部に突出した位置設定用挟持部を有し、前記位置固定用摺動ブロックは、上部に突出した位置固定用挟持部を有し、前記位置設定用挟持部及び前記位置固定用挟持部により前記ワークが挟持され、
前記位置設定用挟持部及び前記位置固定用挟持部は、弾性材により相互に連結されることを特徴とするアリ溝式ワーク挟持装置。
【請求項３】
請求項１又は２に記載のアリ溝式ワーク挟持装置であって、前記雄ネジ棒は、一端が先端支持部に支持され、他端が後端支持部に支持されてハンドルに連結されることを特徴とするアリ溝式ワーク挟持装置。
【請求項４】
請求項１乃至３のいずれか１項に記載のアリ溝式ワーク挟持装置であって、前記位置固定用摺動ブロックに設けられたストッパを前記位置設定用摺動ブロックの方向に回転させて締め込むことで固定することを特徴とするアリ溝式ワーク挟持装置。
【請求項５】
請求項１乃至４のいずれか１項に記載のアリ溝式ワーク挟持装置であって、前記位置固定用摺動ブロックには、与圧調整ネジ用の孔が設けられ、与圧調整ネジを締め込むことで前記位置固定用摺動ブロックの走行中のガタが解消されることを特徴とするアリ溝式ワーク挟持装置。
【請求項６】
保持するワークの一端に合わせて位置固定用摺動ブロックの位置決めをするステップと、
前記位置固定用摺動ブロックをストッパにより前記支持台に固定するステップと、
ハンドルを操作して位置設定用摺動ブロックを摺動させるステップと、
前記位置設定用摺動ブロックに設けられた位置設定用挟持部と、前記位置設定用摺動ブロックに設けられた前記位置設定用挟持部とを弾性体により連結させるステップと、
前記位置設定用摺動ブロックを前記ワークの他端に合わせ、前記位置固定用摺動ブロックと共に挟持するステップと、
を備えることを特徴とするアリ溝式ワーク挟持方法。
【発明の詳細な説明】
【技術分野】
【０００１】
本発明は、アリ溝式ワーク挟持装置及びアリ溝式ワーク挟持方法に係り、特に、アリ溝式の摺動機構によりワークを挟持して固定するアリ溝式ワーク挟持装置、及びアリ溝式ワーク挟持装置についてワークを挟持して固定するアリ溝式ワーク挟持方法に関する。
【背景技術】
【０００２】
機械加工の分野などでワーク（対象物）を加工する際にワーク自体を挟み込んで固定することが行われている。その挟み込む工具として、例えば、横万力に代表される「万力」又はマシンバイスに代表される「バイス」等が一般的に用いられる。万力は、ワークを作業台などに固定する工具をいい、バイスはワーク自体を固定する工具をいう。
【０００３】
万力は、固定側クランプと可動側クランプによりワークを固定する工具である。例えば、特許文献１には、工作機械のテーブル上に設置され、平担な固定面を有する固定側クランプ部材および可動側クランプ部材でワークを締付け固定し、ワークに機械加工を施すようにした工作機械のワーク固定装置が開示されている。
【０００４】
また、「ミニチュアバイス」と称されるワークを挟持する小型固定治具が知られている。このミニチュアバイスは、ハンドルを回して固定用ブロックを移動させてワークを挟み込む治具である。
【０００５】
一方、アリ溝摺動ステージは、主としてＣＣＤカメラやセンサなどの電機・電子機器、レンズや顕微鏡等の光学機器、ＬＥＤなどの照明機器といった精密機器に用いられ、精密な位置決めやピント合わせなどの位置調整用のステージとして用いられている。すなわち、アリ溝摺動ステージは、対象物を挟持して位置決めする装置であり、アリ溝式ワーク挟持装置の機能を備えていると言える。さらに、アリ溝摺動ステージに用いられる、アリ及びアリ溝による摺動機構は、精度の高い位置合わせに必須の技術としてアリ溝摺動ステージに採用されている。
【０００６】
例えば、特許文献２には送りネジ式アリ溝ステージの性能を向上させ、送りネジ式アリ溝ステージに複数の機能を追加した多機能送りネジ式アリ溝ステージが開示されている。ここでは、多機能送りネジ式アリ溝ステージは、両端部にハンドルとの連結部を有する雄ネジ棒と、固定部品の両側にそれぞれ設けられ、雄ネジ棒を回転自在に保持する第１支持台及び第２支持台と、連結部を介して雄ネジ棒と着脱自在に連結して雄ネジ棒を回転させるハンドルとを備え、摺動部品は、固定部品と接続する雌ネジ筒が移動して第１支持台及び第２支持台に当接するまで移動することが記載されている。
【０００７】
さらに、アリ及びアリ溝による摺動機構の実施例を挙げる。特許文献３には、回転ステージが開示されている、ここでは、回転テーブルがベースに対し回転する回転ステージにおいて、回転テーブルにアリが、ベースにアリに嵌合するアリ溝が形成されると共に、回転テーブルの回転軸が回転テーブルのテーブル面内に設定され、アリ及びアリ溝の互いに接触する斜面（アリ斜面、アリ溝斜面）が、回転テーブルの回転軸を囲む位置に湾曲して延びることが記載されている。
【先行技術文献】
【特許文献】
【０００８】
【特許文献１】特開２０１４−２４０１０２号公報
【特許文献２】特開２０１１−２７５５６号公報
【特許文献３】特開２００６−２１２８３号公報
【発明の概要】
【発明が解決しようとする課題】
【０００９】
従来のアリ溝摺動ステージのユーザは、対象となるワークをアリ溝摺動ステージの面上に固定するために自ら治具を設計、製作するのが一般的であった。これは、アリ溝摺動ステージに取り付ける物品の構成や形状が多種多様であるためユーザ側で自ら設計、製作せざるを得ないからであった。すなわち、従来、アリ溝摺動ステージ用のワーク挟持装置はユーザにより製作されていた。
【００１０】
しかし、ユーザが自らワーク固定用治具を設計、製作する場合に、対象となる物品の構成、仕様、形状、寸法などのバリエーションが多岐にわたる場合には、汎用的な治具を設計、製作するのが難しいという問題がある。また、アリ溝摺動ステージについても、多様な型式があり、また、それらの形状や寸法も異なるが、それに対応する汎用的な治具を設計、製作するのが難しいという問題がある。
【００１１】
さらに、ワークに対する加工精度が問題になり、アリ溝摺動ステージと同等の高い精度で位置出しをした上で加工したいというニーズが高まりつつあり、従来の万力やダイスを凌駕する高機能なワーク挟持装置が要求されつつある。
【００１２】
また、上述した「ミニチュアバイス」の場合には、固定用ブロックを移動させるための摺動ガイドを２本の細いシャフトだけに頼っているためガタが大きく簡易なホビー用品の構成である。従って、加工精度が要求される精密機械や機械加工の場合には適さないという問題がある。また、このミニチュアバイスは、アリ溝摺動ステージへの取り付けが全く不可であるという問題がある。
【００１３】
本願の目的は、かかる課題を解決し、多様なワークを支持台上の任意の位置に高い精度で挟持するアリ溝式ワーク挟持装置、及びアリ溝式ワーク挟持方法を提供することである。
【課題を解決するための手段】
【００１４】
上記目的を達成するため、本発明に係るアリ溝式ワーク挟持装置は、支持台と、前記支持台に設けられ、ストッパを締め込むことで前記支持台上の移動可能な任意の位置に固定される位置固定用摺動ブロックと、前記支持台に設けられ、アリ溝とアリとの嵌合により前記支持台に対して自在に摺動する位置設定用摺動ブロックと、前記位置固定用摺動ブロックに設けられた空洞部を貫通し、前記位置設定用摺動ブロックに係合するねじ部を有し、ハンドルに連結する雄ネジ棒と、を備え、前記ハンドルの操作により摺動する前記位置設定用摺動ブロックと前記位置固定用摺動ブロックとによりワークを挟持し、位置設定用摺動ブロックは、着脱自在な位置設定用挟持部を有し、位置固定用摺動ブロックは、着脱自在な位置固定用挟持部を有し、位置設定用挟持部及び位置固定用挟持部によりワークが挟持され、位置設定用挟持部及び位置固定用挟持部は、弾性材により相互に連結されることを特徴とする。
【００１５】
上記構成により、アリ溝式ワーク挟持装置は、まず位置固定用摺動ブロックを位置決めして固定し、位置設定用摺動ブロックを摺動させて固定するという２段階による単純な操作により、ワークを挟み込んで支持台上の任意の位置で支持台に固定することができる。すなわち、ワークの一端の位置は、位置固定用摺動ブロックにより任意の位置に選択され、ワークの他端の位置は、位置設定用摺動ブロックにより調整され、位置の変更も容易にできるからである。
【００１６】
また、位置設定用摺動ブロックは、アリ溝摺動ステージの技術であるアリ溝とアリとの嵌合による摺動機構を採用し、位置設定用摺動ブロックを支持台に対して自在に摺動させるため高い精度によりワークを挟持して固定することができる。さらに、位置設定用挟持部及び位置固定用挟持部が、弾性材により連結されることで、ワークを挟み込む際に緊張させられた弾性材の復元力によりワークを確実に挟持して固定することができる。
【００１７】
上記目的を達成するため、本発明に係るアリ溝式ワーク挟持装置は、支持台と、前記支持台に設けられ、ストッパを締め込むことで前記支持台上の移動可能な任意の位置に固定される位置固定用摺動ブロックと、前記支持台に設けられ、アリ溝とアリとの嵌合により前記支持台に対して自在に摺動する位置設定用摺動ブロックと、前記位置固定用摺動ブロックに設けられた空洞部を貫通し、前記位置設定用摺動ブロックに係合するねじ部を有し、ハンドルに連結する雄ネジ棒と、を備え、前記ハンドルの操作により摺動する前記位置設定用摺動ブロックと前記位置固定用摺動ブロックとによりワークを挟持し、前記位置設定用摺動ブロックは、上部に突出した位置設定用挟持部を有し、前記位置固定用摺動ブロックは、上部に突出した位置固定用挟持部を有し、前記位置設定用挟持部及び前記位置固定用挟持部により前記ワークが挟持され、前記位置設定用挟持部及び前記位置固定用挟持部は、弾性材により相互に連結されることを特徴とする
【００１８】
上記構成により、アリ溝式ワーク挟持装置は、まず位置固定用摺動ブロックを位置決めして固定し、位置設定用摺動ブロックを摺動させて固定するという２段階による単純な操作により、ワークを挟み込んで支持台上の任意の位置で支持台に固定することができる。すなわち、ワークの一端の位置は、位置固定用摺動ブロックにより任意の位置に選択され、ワークの他端の位置は、位置設定用摺動ブロックにより調整され、位置の変更も容易にできるからである。また、位置固定用挟持部や位置設定用挟持部が、位置固定用摺動ブロックや位置設定用摺動ブロックと一体化して製作され、部品製作コストや部品組み立てコストを低減することができる。さらに、位置設定用挟持部及び位置固定用挟持部が、弾性材により連結されることで、ワークを挟み込む際に緊張させられた弾性材の復元力によりワークを確実に挟持して固定することができる。
【００１９】
また、アリ溝式ワーク挟持装置は、雄ネジ棒の一端が先端支持部に支持され、他端が後端支持部に支持されてハンドルに連結されることが好ましい。これにより、雄ネジ棒はその両端が支持され、そのボルトが抉れることがなく高い精度で位置設定用摺動ブロックを摺動させることができる。
【００２０】
また、アリ溝式ワーク挟持装置は、位置設定用挟持部及び位置固定用挟持部が、弾性材により連結されることが好ましい。これにより、ワークを挟み込む際に緊張させられた弾性材の復元力によりワークを確実に挟持して固定することができる。
【００２１】
また、アリ溝式ワーク挟持装置は、位置固定用摺動ブロックに設けられたストッパを位置設定用摺動ブロックの方向に回転させて締め込むことで固定することが好ましい。これにより、位置設定用摺動ブロックをストッパにより支持台に固定する際に、ワークの挟持が緩むことなく固定できる。
【００２２】
また、アリ溝式ワーク挟持装置は、位置固定用摺動ブロックには、与圧調整ネジ用の孔が設けられ、与圧調整ネジを締め込むことで位置固定用摺動ブロックの走行中のガタが解消されることが好ましい。これにより、ガタを発生させることがなく高い精度で位置設定用摺動ブロックを摺動させることができる。
【００２３】
上記目的を達成するため、本発明に係るアリ溝式ワーク挟持方法は、保持するワークの一端に合わせて位置固定用摺動ブロックの位置決めをするステップと、前記位置固定用摺動ブロックをストッパにより前記支持台に固定するステップと、ハンドルを操作して位置設定用摺動ブロックを摺動させるステップと、前記位置設定用摺動ブロックに設けられた位置設定用挟持部と、前記位置設定用摺動ブロックに設けられた前記位置設定用挟持部とを弾性体により連結させるステップと、前記位置設定用摺動ブロックを前記ワークの他端に合わせ、前記位置固定用摺動ブロックと共に挟持するステップと、を備えることを特徴とする。
【００２４】
上記構成により、アリ溝式ワーク挟持方法は、まず、位置固定用摺動ブロックを位置決めして固定し、次に、位置設定用摺動ブロックを摺動させて固定するという２段階による単純な操作方法により、ワークを支持台上の任意の位置で挟み込んで固定することができる。ワークの一端の位置は、位置固定用摺動ブロックにより任意の位置に選択され、ワークの他端の位置は、位置設定用摺動ブロックにより調整され、位置の変更も容易にできるからである。さらに、位置設定用挟持部及び位置固定用挟持部を弾性材により連結されるステップを設けることで、ワークを挟み込む際に緊張させられた弾性材の復元力によりワークを確実に挟持して固定することができる。
【００２５】
さらに、位置設定用摺動ブロックは、アリ溝とアリとの嵌合により支持台に対して自在に摺動するため高い精度によりワークを挟持して固定することができる。
【発明の効果】
【００２６】
以上のように、本発明に係るアリ溝式ワーク挟持装置、及びアリ溝式ワーク挟持方法によれば、多様なワークを支持台上の任意の位置に高い精度で挟持することができる。
【図面の簡単な説明】
【００２７】
【図１】本発明に係るアリ溝式ワーク挟持装置の一つの実施形態の概略構成を示す平面図である。
【図２】図１のアリ溝式ワーク挟持装置の立面図である。
【図３】図１のアリ溝式ワーク挟持装置の背面図である。
【図４】図１のアリ溝式ワーク挟持装置の拡大した側面図である。
【図５】位置設定用摺動ブロックと位置固定用摺動ブロックとの間の挟持範囲を最大限にした場合を示す立面図である。
【図６】アリ溝式ワーク挟持装置によるワークの挟持方法を示すフロー図である。
【発明を実施するための形態】
【００２８】
（アリ溝式ワーク挟持装置の構成）
以下に、図面を用いて本発明に係るアリ溝式ワーク挟持装置１ａ,１ｂの一つの実施形態について図１に、本発明に係るアリ溝式ワーク挟持装置１ａ,１ｂの概略構成を平面図で示し、図２に図１の立面図を示す。図１(ａ)及び図２(ａ)は、アリ溝式ワーク挟持装置１ａ,１ｂの第１実施例であり図２（ａ）は図１（ａ）のＡ１−Ａ１方向から見た立面図である。図１(ｂ)及び図２(ｂ)は、アリ溝式ワーク挟持装置１の第２実施例であり図２（ｂ）は図１（ｂ）のＡ２−Ａ２方向から見た立面図である。さらに、図３に図１(ａ)の第１実施例及び図２(ｂ)の第２実施例に共通の背面図であり、図２のＢ−Ｂ方向から見た背面図を示す。なお、本明細書で「挟持する」とは、ワーク等の対象物を両側から挟んで固定することを言う。
【００２９】
図１及び図２に示すように、アリ溝式ワーク挟持装置１ａ，１ｂは、支持台６、位置設定用摺動ブロック２ａ,２ｂ、位置固定用摺動ブロック３ａ,３ｂ、雄ネジ棒４から構成され、ワーク１０を挟持する。支持台６は、アリ溝式ワーク挟持装置１の土台としてこれらの構成要素を支持する。そして、支持台６は、図２（ａ）,（ｂ）に示す支持台固定ネジ孔２２に挿入された支持台固定ネジ２０（図３参照）により固定される。位置固定用摺動ブロック３ａ,３ｂは、本実施形態では、アリ溝式ワーク挟持装置１ａ，１ｂの操作者が手動で動作させてワーク１０の一方を狭持する。但し、位置固定用摺動ブロック３ａ,３ｂは、手動以外の手段で動作させても良い。そして、ストッパ７を締め込むことで支持台６上の移動可能な任意の位置に固定される。位置設定用摺動ブロック２ａ,２ｂは、後述するアリ溝８及びアリ９(図４（ｂ）参照)の嵌合により支持台６に対して自在に摺動する。更に、雄ネジ棒４は、一端が先端支持部１５に支持され、他端が後端支持部１６を介してハンドル５に連結される。また、雄ネジ棒４は、位置固定用摺動ブロック３ａ,３ｂに設けられた空洞部１１を貫通し、位置設定用摺動ブロック２ａ,２ｂに係合するネジ部を有する。そして、ハンドル５の回転操作により摺動する位置固定用摺動ブロック３ａ,３ｂ及び位置設定用摺動ブロック２ａ，２ｂによりワーク１０を適切に挟持する。
【００３０】
図１(ａ)及び図２（ａ）に示すアリ溝式ワーク挟持装置１ａの第１実施例は、位置設定用摺動ブロック２ａに位置設定用挟持部１３ａが設けられ、位置固定用摺動ブロック３ａに位置固定用挟持部１４ａが設けられる実施例であり、位置設定用挟持部１３ａ及び位置固定用挟持１４ａによりワーク１０が挟持される。
【００３１】
このアリ溝式ワーク挟持装置１ａは、例えば筒状、球状などのワーク１０を挟持するのに適している。すなわち、位置設定用挟持部１３ａ及び位置固定用挟持部１４ａは、それぞれ２個の円筒形の突起体であるため、筒状、球状のワーク１０は、４個の突起体である位置設定用挟持部１３ａ及び位置固定用挟持部１４ａにより４点の接触点により安定的に挟持される。このように、少ない接触点で挟持されることでワーク１０への損傷を最小限に抑えることができる。なお、アリ溝式ワーク挟持装置１ａは、ワーク１０の形状が筒状、球状に限らず、例えば立方体、板状、線形等のワーク１０にも使用可能であることは言うまでもない。
【００３２】
また、図１(ｂ)及び図２（ｂ）に示すアリ溝式ワーク挟持装置１ｂの第２実施例は、位置設定用摺動ブロック２ｂ自体が位置設定用挟持部１３ｂとなり、位置固定用摺動ブロック３ｂ自体が上部に突出した位置固定用挟持部１４ｂとなる実施例である。すなわち、位置設定用摺動ブロック２ｂと位置設定用挟持部１３ｂとが一体となり、位置固定用摺動ブロック３ｂと位置固定用挟持部１４ｂとが一体となる実施例である。そして、位置設定用挟持部１３ｂ及び位置固定用挟持部１４ｂによりワーク１０が挟持される。
【００３３】
このアリ溝式ワーク挟持装置１ｂは、例えば、板状、棒状などのワーク１０を挟持するのに適している。すなわち、図１(ｂ)、図２(ｂ)に示すように、位置設定側ワーク把持面２３、及び位置固定側ワーク把持面２４には、Ｖ字状の溝がそれぞれ設けられている。つまり、位置設定側ワーク把持面２３、及び位置固定側ワーク把持面２４には、十字状に交差する溝が設けられている。この溝により板状、棒状などのワーク１０に対してその芯を出して挟持することが可能になる。また、この溝は十字状に設けられているのでワーク１０を縦方向又は横方向のいずれかに設置して芯を出すことができる。なお、アリ溝式ワーク挟持装置１ｂは、ワーク１０の形状が板状、線状に限らず、例えば、筒状、球体、立方体等のワーク１０にも使用可能であることは言うまでもない。
【００３４】
図２（ａ）に示すように、位置固定用摺動ブロック３ａ，３ｂ及び位置設定用摺動ブロック２ａ，２ｂには与圧調整ネジ用孔１８が設けられ、与圧調整ネジを締め込むことで位置固定用摺動ブロック３ａ，３ｂ及び位置設定用摺動ブロック２ａ，２ｂの走行中のガタが解消される。このように、アリ溝式ワーク挟持装置１ａ,１ｂには、アリ溝摺動ステージの技術が転用され、高い精度が担保されている。
【００３５】
図１、図２に示すように、位置固定用挟持部１４ａ，１４ｂ及び位置設定用挟持部１３ａ,１３ｂが、それぞれ弾性体１７により連結されても良い。ここで、弾性体１７とは、弾性を有する線状の部材であれば良く、例えば、ゴム、バネ等が該当する。また、粘性と弾性とを共に有する線状の粘弾性体であっても良い。この弾性体１７により、ワーク１０を位置固定用挟持部１４ａ,１４ｂと位置設定用挟持部１３ａ，１３ｂとの間に挟み込む場合に、ワーク１０を締め込むという効果が発生する。すなわち、弾性体１７に張力を加えてワーク１０を挟み込み、その張力を解除すると弾性体１７が復元してワーク１０に圧縮力が発生する。その結果、ワーク１０は緩むことなく挟み込まれて固定される。
【００３６】
図４に、図１のアリ溝式ワーク挟持装置１ａ,１ｂを拡大した側面図で示す。図４(ａ)は、図２のＣ−Ｃ方向から見た側面図であり、図４（ｂ）は、図２のＤ−Ｄ方向から見た側面図である。これらの側面図は、アリ溝式ワーク挟持装置１ａ,１ｂに共通である。
【００３７】
図４（ｂ）に示すように、位置固定用摺動ブロック３ａ,３ｂの側面には、ストッパ７が設けられる。このストッパ７を回転させると、ストッパ７の先端部に設けられたネジが位置固定用摺動ブロック３ａ,３ｂに連結された三角形の突出部２５を内部側の支持台６に抑え込む。従って、ストッパ７を締め込むことで位置固定用摺動ブロック３ａ,３ｂが支持台６に固定される。すなわち、ストッパ７を締め込む際に、位置固定用摺動ブロック３ａ,３ｂを位置設定用摺動ブロック２ａ，２ｂから離すように回転させると、位置固定用摺動ブロック３ａ,３ｂと位置設定用摺動ブロック２ａ，２ｂとが離間するように働いてしまいワーク１０を確実に挟持できなくなる。
【００３８】
図５に、位置設定用摺動ブロック２ａ,２ｂと位置固定用摺動ブロック３ａ,３ｂとの間の挟持範囲を最大限にした場合を示す。位置設定用摺動ブロック２ａ,２ｂは、後端支持部１６の近傍にまで摺動することが可能である。これは、ネジ切りされた雄ネジ棒４が後端支持部１６にまで接続しているからである。また、位置固定用摺動ブロック３ａ,３ｂは、先端支持部１５の近傍にまで移動させて固定することができる。このように、本願のアリ溝式ワーク挟持装置１ａ,１ｂは、先端支持部１５から後端支持部１６までの広い挟持範囲を有し、大型のワーク１０にも対応可能となっている。
【００３９】
（アリ溝式ワーク挟持方法）
図６に、アリ溝式ワーク挟持装置１ａ,１ｂによるワーク１０の挟持方法を示すフロー図を示す。図６のフロー図では、各ステップをＳ１〜Ｓ４で示す。まず、保持するワーク１０の一端に合わせて位置固定用摺動ブロック３ａ,３ｂの位置決めをする（Ｓ１）。次に、位置固定用摺動ブロック３ａ,３ｂをストッパ７により支持台６に固定する（Ｓ２）。そして、ハンドル５を回転操作して位置設定用摺動ブロック２ａ，２ｂを摺動させる（Ｓ３）。さらに位置設定用摺動ブロック３ａ,３ｂをワーク１０の他端に合わせ、位置固定用摺動ブロック３ａ,３ｂと共に挟持する（Ｓ４）。
【００４０】
このように、本願のアリ溝式ワーク挟持装置１ａ,１ｂは、位置固定用摺動ブロック３ａ,３ｂを位置決めして固定し、位置設定用摺動ブロック２ａ,２ｂを摺動させて固定するという２段階の単純な操作により、ワーク１０を支持台６の任意の位置に固定することができる。
【００４１】
以上の実施形態で説明された構成、形状、大きさ、及び配置関係については、本発明が理解、実施できる程度に概略的に示したものにすぎない。従って、本発明は、説明された実施形態に限定されるものではなく、特許請求の範囲に示される技術的思想の範囲を逸脱しない限り様々な形態に変更することができる。
【符号の説明】
【００４２】
１，１ａ，１ｂ  アリ溝式ワーク挟持装置、２ａ，２ｂ  位置設定用摺動ブロック、３ａ，３ｂ  位置固定用摺動ブロック、４  雄ネジ棒、５  ハンドル、６  支持台、７  ストッパ、８  アリ溝、９  アリ、１０  ワーク、１１  空洞部、１３ａ，１３ｂ  位置設定用挟持部、１４ａ，１４ｂ  位置固定用挟持部、１５  先端支持部、１６  後端支持部、１７  弾性体、１８  与圧調整用ネジ孔、２０  支持台固定ネジ、２２  支持台固定ネジ孔、２３  位置設定側ワーク把持面、２４  位置固定側ワーク把持面、２５  突出部。
【要約】
【課題】多様なワークを支持台上の任意の位置に高い精度で挟持するアリ溝式ワーク挟持装置、及びアリ溝式ワーク挟持方法を提供する。
【解決手段】アリ溝式ワーク挟持装置１ａ，１ｂは、支持台と、ストッパ７の締め込みにより支持台上の移動可能な任意の位置に固定される位置固定用摺動ブロック３ａ，３ｂと、アリ溝とアリとの嵌合により支持台に対して自在に摺動する位置設定用摺動ブロック２ａ,２ｂと、位置固定用摺動ブロック３ａ,３ｂに設けられた空洞部を貫通し、位置設定用摺動ブロック２ａ,２ｂに係合するねじ部を有し、ハンドル５に連結する雄ネジ棒４とを備え、ハンドル５の回転操作により摺動する位置設定用摺動ブロック２ａ,２ｂと位置固定用摺動ブロック３ａ,３ｂとによりワーク１０を挟持する。
【選択図】図１【図１】
0005977468.tif 000002
【図２】
0005977468.tif 000003
【図３】
0005977468.tif 000004
【図４】
0005977468.tif 000005
【図５】
0005977468.tif 000006
【図６】
0005977468.tif 000007